【手続補正書】
【提出日】平成19年2月27日(2007.2.27)
【手続補正１】
【補正対象書類名】特許請求の範囲
【補正対象項目名】全文
【補正方法】変更
【補正の内容】
【特許請求の範囲】
【請求項１】
入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直すことを特徴とするインターネット電話機。
【請求項２】
入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話機。
【請求項３】
インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直すことを特徴とするインターネット電話に用いる制御装置。
【請求項４】
インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話に用いる制御装置。
【請求項５】
ネットワークを介して接続するインターネット電話機の電話番号及び各電話番号に対応するＩＰアドレスを登録する記憶手段と、インターネット電話機からの電話番号に対応するＩＰアドレスの問い合わせを検出すると、前記電話番号に対応するＩＰアドレスを前記記憶手段から読出して前記インターネット電話機に返送する制御手段とを具備し、前記記憶手段は前記ＩＰアドレスのホストアドレス部に数字の代わりに特殊記号を入れて登録することを特徴とするインターネット電話に用いるネットワークサーバ。
【請求項６】
ネットワークを介して接続するインターネット電話機の電話番号及び各電話番号に対応するＩＰアドレスを登録する記憶手段と、インターネット電話機からの電話番号に対応するＩＰアドレスの問い合わせを検出すると、前記電話番号に対応するＩＰアドレスを前記記憶手段から読出して前記インターネット電話機に返送する制御手段とを具備し、前記記憶手段は前記ＩＰアドレスのホストアドレス部に数字の代わりに特殊記号及び前記特殊記号を数字に変換できる範囲を示す情報を入れて登録することを特徴とするインターネット電話に用いるネットワークサーバ。
【請求項７】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が話中の場合前記変換した数字をインクリメントして新たなＩＰアドレスを生成しこれに基づいて別の宛先にアクセスし直すことを特徴とするインターネット電話システム。
【請求項８】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が話中の場合前記変換できる範囲内で数字をインクリメントして新たなＩＰアドレスを生成しこれに基づいて別の宛先にアクセスし直すことを特徴とするインターネット電話システム。
【請求項９】
入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直すことを特徴とするインターネット電話による通話方法。
【請求項１０】
入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話による通話方法。
【請求項１１】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が話中の場合前記変換した数字をインクリメントして新たなＩＰアドレスを生成しこれに基づいて別の宛先にアクセスし直すことを特徴とするインターネット電話による通話方法。
【請求項１２】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が話中の場合前記変換できる範囲内で数字をインクリメントして新たなＩＰアドレスを生成しこれに基づいて別の宛先にアクセスし直すことを特徴とするインターネット電話による通話方法。
【請求項１３】
入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話機。
【請求項１４】
入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話機。
【請求項１５】
インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話に用いる制御装置。
【請求項１６】
インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話に用いる制御装置。
【請求項１７】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が所定時間応答しない場合前記変換した数字をインクリメントして新たなＩＰアドレスを生成しこれに基づいて別の宛先にアクセスし直すことを特徴とするインターネット電話システム。
【請求項１８】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が所定時間応答しない場合前記変換できる範囲内で数字をインクリメントして新たなＩＰアドレスを生成しこれに基づいて別の宛先にアクセスし直すことを特徴とするインターネット電話システム。
【請求項１９】
入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話による通話方法。
【請求項２０】
入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話による通話方法。
【請求項２１】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が所定時間応答しない場合前記変換した数字をインクリメントして新たなＩＰアドレスを生成しこれに基づいて別の宛先にアクセスし直すことを特徴とするインターネット電話による通話方法。
【請求項２２】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が所定時間応答しない場合前記変換できる範囲内で数字をインクリメントして新たなＩＰアドレスを生成しこれに基づいて別の宛先にアクセスし直すことを特徴とするインターネット電話による通話方法。
【手続補正２】
【補正対象書類名】明細書
【補正対象項目名】００１８
【補正方法】変更
【補正の内容】
【００１８】
本発明に係るインターネット電話機は、入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直すようにしたものである。
【手続補正３】
【補正対象書類名】明細書
【補正対象項目名】００２０
【補正方法】変更
【補正の内容】
【００２０】
本発明の第１の態様に係るインターネット電話機は、入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直す構成を採る。
【手続補正４】
【補正対象書類名】明細書
【補正対象項目名】００２２
【補正方法】変更
【補正の内容】
【００２２】
本発明の第２の態様に係るインターネット電話機は、入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直す構成を採る。
【手続補正５】
【補正対象書類名】明細書
【補正対象項目名】００２５
【補正方法】変更
【補正の内容】
【００２５】
本発明の第３の態様に係るインターネット電話に用いる制御装置は、インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直す構成を採る。
【手続補正６】
【補正対象書類名】明細書
【補正対象項目名】００２７
【補正方法】変更
【補正の内容】
【００２７】
本発明の第４の態様に係るインターネット電話に用いる制御装置は、インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直す構成を採る。
【手続補正７】
【補正対象書類名】明細書
【補正対象項目名】００３０
【補正方法】変更
【補正の内容】
【００３０】
本発明の第５の態様に係るインターネット電話に用いるネットワークサーバは、ネットワークを介して接続するインターネット電話機の電話番号及び各電話番号に対応するＩＰアドレスを登録する記憶手段と、インターネット電話機からの電話番号に対応するＩＰアドレスの問い合わせを検出すると、前記電話番号に対応するＩＰアドレスを前記記憶手段から読出して前記インターネット電話機に返送する制御手段とを具備し、前記記憶手段は前記ＩＰアドレスのホストアドレス部に数字の代わりに特殊記号を入れて登録する構成を採る。
【手続補正８】
【補正対象書類名】明細書
【補正対象項目名】００３２
【補正方法】変更
【補正の内容】
【００３２】
本発明の第６の態様に係るインターネット電話に用いるネットワークサーバは、ネットワークを介して接続するインターネット電話機の電話番号及び各電話番号に対応するＩＰアドレスを登録する記憶手段と、インターネット電話機からの電話番号に対応するＩＰアドレスの問い合わせを検出すると、前記電話番号に対応するＩＰアドレスを前記記憶手段から読出して前記インターネット電話機に返送する制御手段とを具備し、前記記憶手段は前記ＩＰアドレスのホストアドレス部に数字の代わりに特殊記号及び前記特殊記号を数字に変換できる範囲を示す情報を入れて登録する構成を採る。
【手続補正９】
【補正対象書類名】明細書
【補正対象項目名】００３５
【補正方法】変更
【補正の内容】
【００３５】
本発明の第７の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が話中の場合前記変換した数字をインクリメントして新たなＩＰアドレスを生成しこれに基づいて別の宛先にアクセスし直す構成を採る。
【手続補正１０】
【補正対象書類名】明細書
【補正対象項目名】００３７
【補正方法】変更
【補正の内容】
【００３７】
本発明の第８の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が話中の場合前記変換できる範囲内で数字をインクリメントして新たなＩＰアドレスを生成しこれに基づいて別の宛先にアクセスし直す構成を採る。
【手続補正１１】
【補正対象書類名】明細書
【補正対象項目名】００４０
【補正方法】変更
【補正の内容】
【００４０】
本発明の第９の態様に係るインターネット電話による通話方法は、入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が話中の場合前記変換した数字をインクリメントして新たなＩＰアドレスを生成し、このＩＰアドレスに基づいて別の宛先にアクセスし直すものである。
【手続補正１２】
【補正対象書類名】明細書
【補正対象項目名】００４１
【補正方法】変更
【補正の内容】
【００４１】
本発明の第１０の態様に係るインターネット電話による通話方法は、入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が話中の場合前記変換できる範囲内で数字をインクリメントして新たなＩＰアドレスを生成し、このＩＰアドレスに基づいて別の宛先にアクセスし直すものである。
【手続補正１３】
【補正対象書類名】明細書
【補正対象項目名】００４２
【補正方法】変更
【補正の内容】
【００４２】
本発明の第１１の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が話中の場合前記変換した数字をインクリメントして新たなＩＰアドレスを生成しこれに基づいて別の宛先にアクセスし直すものである。
【手続補正１４】
【補正対象書類名】明細書
【補正対象項目名】００４３
【補正方法】変更
【補正の内容】
【００４３】
本発明の第１２の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が話中の場合前記変換できる範囲内で数字をインクリメントして新たなＩＰアドレスを生成しこれに基づいて別の宛先にアクセスし直すものである。
【手続補正１５】
【補正対象書類名】明細書
【補正対象項目名】００４４
【補正方法】変更
【補正の内容】
【００４４】
本発明の第１３の態様に係るインターネット電話機は、入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直す構成を採る。
【手続補正１６】
【補正対象書類名】明細書
【補正対象項目名】００４６
【補正方法】変更
【補正の内容】
【００４６】
本発明の第１４の態様に係るインターネット電話機は、入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直す構成を採る。
【手続補正１７】
【補正対象書類名】明細書
【補正対象項目名】００４９
【補正方法】変更
【補正の内容】
【００４９】
本発明の第１５の態様に係るインターネット電話に用いる制御装置は、インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直す構成を採る。
【手続補正１８】
【補正対象書類名】明細書
【補正対象項目名】００５１
【補正方法】変更
【補正の内容】
【００５１】
本発明の第１６の態様に係るインターネット電話に用いる制御装置は、インターネット電話機としての機能を有しない電話機に接続され当該電話機をインターネット電話機として機能させる制御装置であって、前記電話機から電話番号が入力されるとサーバに前記電話番号に対応するＩＰアドレスを問い合わせて受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直す構成を採る。
【手続補正１９】
【補正対象書類名】明細書
【補正対象項目名】００５４
【補正方法】変更
【補正の内容】
【００５４】
本発明の第１７の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が所定時間応答しない場合前記変換した数字をインクリメントして新たなＩＰアドレスを生成しこれに基づいて別の宛先にアクセスし直す構成を採る。
【手続補正２０】
【補正対象書類名】明細書
【補正対象項目名】００５６
【補正方法】変更
【補正の内容】
【００５６】
本発明の第１８の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が所定時間応答しない場合前記変換できる範囲内で数字をインクリメントして新たなＩＰアドレスを生成しこれに基づいて別の宛先にアクセスし直す構成を採る。
【手続補正２１】
【補正対象書類名】明細書
【補正対象項目名】００５９
【補正方法】変更
【補正の内容】
【００５９】
本発明の第１９の態様に係るインターネット電話による通話方法は、入力された電話番号に対応するＩＰアドレスをサーバに問い合わせ、サーバから前記電話番号に対応するＩＰアドレスを受信し、前記ＩＰアドレスの中のホストアドレス部に特殊記号の存在を確認すると、前記特殊記号を数字に変換したＩＰアドレスの宛先にアクセスし、その宛先が所定時間応答しない場合前記変換した数字をインクリメントして新たなＩＰアドレスを生成し、このＩＰアドレスに基づいて別の宛先にアクセスし直すものである。
【手続補正２２】
【補正対象書類名】明細書
【補正対象項目名】００６０
【補正方法】変更
【補正の内容】
【００６０】
本発明の第２０の態様に係るインターネット電話による通話方法は、入力された電話番号に対応するＩＰアドレスをサーバに問い合わせ、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスの宛先にアクセスし、その宛先が所定時間応答しない場合前記変換できる範囲内で数字をインクリメントして新たなＩＰアドレスを生成し、このＩＰアドレスに基づいて別の宛先にアクセスし直すものである。
【手続補正２３】
【補正対象書類名】明細書
【補正対象項目名】００６１
【補正方法】変更
【補正の内容】
【００６１】
本発明の第２１の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスの宛先にアクセスしその宛先が所定時間応答しない場合前記変換した数字をインクリメントして新たなＩＰアドレスを生成しこれに基づいて別の宛先にアクセスし直すものである。
【手続補正２４】
【補正対象書類名】明細書
【補正対象項目名】００６２
【補正方法】変更
【補正の内容】
【００６２】
本発明の第２２の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、インターネット電話機が電話番号をサーバに送信すると、サーバは前記電話番号に対応するＩＰアドレスを前記記憶手段から読出して前記インターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスの宛先にアクセスしその宛先が所定時間応答しない場合前記変換できる範囲内で数字をインクリメントして新たなＩＰアドレスを生成しこれに基づいて別の宛先にアクセスし直すものである。